【手続補正書】
【提出日】平成18年7月27日(2006.7.27)
【手続補正１】
【補正対象書類名】明細書
【補正対象項目名】特許請求の範囲
【補正方法】変更
【補正の内容】
【特許請求の範囲】
【請求項１】  ネットワーク上でパケットを転送する複数の転送装置と、フローを特定し当該フローのパケットに対し、指示された処理を実行する処理サーバ装置と、処理サーバ装置に対しフローの処理を指示するフロー処理制御装置と、パケットの転送経路を制御する経路制御装置と、端末装置の位置情報を受信し端末装置の位置情報及び属性情報を管理する端末管理装置と、端末装置とから成るパケット転送システムにおけるパケット転送制御方法であって、
送信側の端末装置が、送信側及び受信側の端末装置のアドレス情報、並びに、送信されるフローに対し割り当てられた当該フローを識別するためのフロー識別子を含んだ接続要求をネットワークへ送信し、
ネットワーク上の転送装置が、経路制御装置による経路制御の下で当該接続要求を、受信側の端末装置に接続された転送装置へ転送した後、送信側及び受信側の端末装置間でフローの送受信が実行開始され、
経路制御装置が、前記フローに対し施すべき処理機能情報を検知し、当該処理機能情報をフロー処理制御装置へ通知し、
フロー処理制御装置が、受信した処理機能を持つ複数の処理サーバ装置の各々に接続している転送装置の情報を経路制御装置に通知し、
経路制御装置が、接続要求に含まれた送信側及び受信側の端末装置のアドレス情報に基づいて、一つの処理サーバ装置及び当該処理サーバ装置に接続している転送装置を決定し、
経路制御装置が、決定された転送装置に対し、フロー識別子、送信側及び受信側の端末装置のアドレス情報、決定された処理サーバ装置の情報を通知し、当該フロー識別子に対応するフローをインターセプトして前記処理サーバ装置へ転送するようにインターセプト指示を行うとともに、フロー処理制御装置に対し、決定された転送装置の情報を通知し、
フロー処理制御装置が、インターセプト指示を受けた転送装置に対応した処理サーバ装置に対し、フロー識別子と当該フロー識別子に応じた処理情報を指示し、
経路制御装置が、送信側の端末装置が接続された転送装置に対し、インターセプト指示を受けた転送装置を経由した転送経路情報を通知し、
送信側の端末装置が接続された転送装置が、通知された転送経路情報に基づき、送信側の端末装置からのフローを送信し、
前記インターセプト指示を受けた転送装置が、自装置に備えた、フローの識別子、送信側の端末装置アドレス、受信側の端末装置アドレス、及びフローを処理する処理サーバ装置情報を対応付けて記憶したフロー管理テーブルを参照して、インターセプト指示に基づき、前記フロー識別子に対応する前記フローをインターセプトして処理サーバ装置へ転送し、
処理サーバ装置が、指示されたフロー識別子に対応する前記フローに対し、指示された処理情報に基づいて処理を行い、当該処理後、処理済みフローをネットワークへ送信し、
前記インターセプト指示を受けた転送装置が、処理済みフローを、処理サーバ装置から受信して転送経路情報に基づき受信側の端末装置へ向けて転送する、
ことを特徴とするパケット転送制御方法。
【請求項２】  フローを受信中の端末装置が変更される場合、
端末管理装置が、自装置に備えた、端末装置の識別子、端末装置の位置情報、及び端末装置が有する処理能力を含む属性情報を対応付けて記憶した端末管理テーブルを参照して、受信者の近傍の他の端末装置からの位置情報と受信中のフロー情報に基づいて、前記他の端末装置から受信継続のための一つの端末装置を決定し、決定された端末装置のアドレス情報を経路制御装置に通知し、
経路制御装置が、前記インターセプト指示を受けた転送装置に対し、当該決定された端末装置のアドレス情報を通知し、受信側の端末装置のアドレス書換を指示することで前記転送経路情報を変更させ、
前記インターセプト指示を受けた転送装置が、前記決定された受信側の端末装置のアドレス書換を行い、処理済みフローを変更後の転送経路情報に基づき当該受信側の端末装置へ向けて転送する
ことを特徴とする請求項１記載のパケット転送制御方法。
【請求項３】  ネットワーク上でパケットを転送する複数の転送装置と、フローを特定し当該フローのパケットに対し、指示された処理を実行する処理サーバ装置と、処理サーバ装置に対しフローの処理を指示するフロー処理制御装置と、パケットの転送経路を制御する経路制御装置と、端末装置の位置情報を受信し端末装置の位置情報及び属性情報を管理する端末管理装置と、端末装置とから成るパケット転送システムを構成する経路制御装置であって、
フローに対し施すべき処理機能情報を検知し、当該処理機能情報を前記フロー処理制御装置へ通知する処理機能通知手段と、
接続要求に含まれた送信側及び受信側の端末装置のアドレス情報に基づいて、一つの処理サーバ装置及び当該処理サーバ装置に接続している転送装置を決定する転送装置決定手段と、
決定された転送装置に対し、フロー識別子、送信側及び受信側の端末装置のアドレス情報、決定された処理サーバ装置の情報を通知し、当該フロー識別子に対応するフローをインターセプトして前記処理サーバ装置へ転送するようにインターセプト指示を行うとともに、フロー処理制御装置に対し、インターセプト指示を受けた転送装置の情報を通知する指示通知手段と、
送信側の端末装置が接続された転送装置に対し、インターセプト指示を受けた転送装置を経由した転送経路情報を通知する転送経路通知手段と、
前記インターセプト指示を受けた転送装置に対し、当該決定された端末装置のアドレス情報を通知し、受信側の端末装置のアドレス書換を指示することで前記転送経路情報を変更させる変更指示手段と、
を備えた経路制御装置。
【請求項４】  ネットワーク上でパケットを転送する複数の転送装置と、フローを特定し当該フローのパケットに対し、指示された処理を実行する処理サーバ装置と、処理サーバ装置に対しフローの処理を指示するフロー処理制御装置と、パケットの転送経路を制御する経路制御装置と、端末装置の位置情報を受信し端末装置の位置情報及び属性情報を管理する端末管理装置と、端末装置とから成るパケット転送システムを構成するフロー処理制御装置であって、
受信した処理機能を持つ複数の処理サーバ装置の各々に接続している転送装置の情報を経路制御装置に通知する転送装置情報通知手段と、
前記経路制御装置により決定された転送装置に対応した処理サーバ装置に対し、フロー識別子と当該フロー識別子に応じた処理情報を指示する処理指示手段と、
を備えたフロー処理制御装置。
【請求項５】  ネットワーク上でパケットを転送する複数の転送装置と、フローを特定し当該フローのパケットに対し、指示された処理を実行する処理サーバ装置と、処理サーバ装置に対しフローの処理を指示するフロー処理制御装置と、パケットの転送経路を制御する経路制御装置と、端末装置の位置情報を受信し端末装置の位置情報及び属性情報を管理する端末管理装置と、端末装置とから成るパケット転送システムを構成する端末管理装置であって、
端末装置の識別子、端末装置の位置情報、及び端末装置が有する処理能力を含む属性情報を対応付けて記憶した端末管理テーブルと、
フローを受信中の端末装置が変更される場合、受信者の近傍の他の端末装置からの位置情報と受信中のフロー情報に基づいて、前記端末管理テーブルを参照して、前記他の端末装置から受信継続のための一つの端末装置を決定する端末決定手段と、
決定された端末装置のアドレス情報を経路制御装置に通知するアドレス通知手段と、
を備えた端末管理装置。
【請求項６】  ネットワーク上でパケットを転送する複数の転送装置と、フローを特定し当該フローのパケットに対し、指示された処理を実行する処理サーバ装置と、処理サーバ装置に対しフローの処理を指示するフロー処理制御装置と、パケットの転送経路を制御する経路制御装置と、端末装置の位置情報を受信し端末装置の位置情報及び属性情報を管理する端末管理装置と、端末装置とから成るパケット転送システムを構成する転送装置であって、
端末装置からの接続要求をネットワークへ転送する接続要求転送手段と、
フローの識別子と、送信側の端末装置アドレスと、受信側の端末装置アドレスと、フローを処理する処理サーバ装置情報とを対応付けて記憶したフロー管理テーブルを作成し保持するテーブル管理手段と、
前記フロー管理テーブルを参照して、経路制御装置からのインターセプト指示に基づいて、フロー識別子に対応するフローをインターセプトして処理サーバ装置へ転送するインターセプト手段と、
経路制御装置からの指示に従って、パケットのヘッダーに記録されたアドレスを書き換えるとともに、処理済みフローを、処理サーバ装置から受信して転送経路情報に基づき受信側の端末装置へ向けて転送する処理済みフロー転送手段と、
を備えた転送装置。
【請求項７】  ネットワーク上でパケットを転送する複数の転送装置と、フローを特定し当該フローのパケットに対し、指示された処理を実行する処理サーバ装置と、処理サーバ装置に対しフローの処理を指示するフロー処理制御装置と、パケットの転送経路を制御する経路制御装置と、端末装置の位置情報を受信し端末装置の位置情報及び属性情報を管理する端末管理装置と、端末装置とから成るパケット転送システムを構成する処理サーバ装置であって、
フロー処理制御装置から、フロー識別子と当該フロー識別子に応じた処理情報に関する指示を受信する指示受信手段と、
指示されたフロー識別子に対応するフローに対し、指示された処理情報に基づいて処理を実行する処理実行手段と、
当該処理後、処理済みフローをネットワークへ送信する処理済みフロー送信手段と、
を備えた処理サーバ装置。
【請求項８】  ネットワーク上でパケットを転送する複数の転送装置と、フローを特定し当該フローのパケットに対し、指示された処理を実行する処理サーバ装置と、処理サーバ装置に対しフローの処理を指示するフロー処理制御装置と、パケットの転送経路を制御する経路制御装置と、端末装置の位置情報を受信し端末装置の位置情報及び属性情報を管理する端末管理装置とともにパケット転送システムを構成する端末装置であって、
送信側及び受信側の端末装置のアドレス情報、並びに、送信されるフローに対し割り当てられた当該フローを識別するためのフロー識別子を含んだ接続要求をネットワークへ送信する接続要求送信手段
を備えた端末装置。
【請求項９】  ネットワーク上でパケットを転送する複数の転送装置と、フローを特定し当該フローのパケットに対し、指示された処理を実行する処理サーバ装置と、処理サーバ装置に対しフローの処理を指示するフロー処理制御装置と、パケットの転送経路を制御する経路制御装置と、端末装置の位置情報を受信し端末装置の位置情報及び属性情報を管理する端末管理装置と、端末装置とから成るパケット転送システムであって、
前記端末装置が、
送信側及び受信側の端末装置のアドレス情報、並びに、送信されるフローに対し割り当てられた当該フローを識別するためのフロー識別子を含んだ接続要求をネットワークへ送信する接続要求送信手段とを備え、
転送装置が、
端末装置からの接続要求をネットワークへ転送する接続要求転送手段と、
フローの識別子と、送信側の端末装置アドレスと、受信側の端末装置アドレスと、フローを処理する処理サーバ装置情報とを対応付けて記憶したフロー管理テーブルを作成し保持するテーブル管理手段と、
前記フロー管理テーブルを参照して、インターセプト指示に基づいて、フロー識別子に対応するフローをインターセプトして処理サーバ装置へ転送するインターセプト手段と、
処理済みフローを、処理サーバ装置から受信して転送経路情報に基づき受信側の端末装置へ向けて転送する処理済みフロー転送手段とを備え、
経路制御装置が、
フローに対し施すべき処理機能情報を検知し、当該処理機能情報を前記フロー処理制御装置へ通知する処理機能通知手段と、
接続要求に含まれた送信側及び受信側の端末装置のアドレス情報に基づいて、一つの処理サーバ装置及び当該処理サーバ装置に接続している転送装置を決定する転送装置決定手段と、
決定された転送装置に対し、フロー識別子、送信側及び受信側の端末装置のアドレス情報、決定された処理サーバ装置の情報を通知し、当該フロー識別子に対応するフローをインターセプトして前記処理サーバ装置へ転送するようにインターセプト指示を行うとともに、フロー処理制御装置に対し、インターセプト指示を受けた転送装置の情報を通知する指示通知手段と、
送信側の端末装置が接続された転送装置に対し、インターセプト指示を受けた転送装置を経由した転送経路情報を通知する転送経路通知手段とを備え、
フロー処理制御装置が、
受信した処理機能を持つ複数の処理サーバ装置の各々に接続している転送装置の情報を経路制御装置に通知する転送装置情報通知手段と、
前記経路制御装置により決定された転送装置に対応した処理サーバ装置に対し、フロー識別子と当該フロー識別子に応じた処理情報を指示する処理指示手段とを備え、
処理サーバ装置が、
フロー処理制御装置から、フロー識別子と当該フロー識別子に応じた処理情報に関する指示を受信する指示受信手段と、
指示されたフロー識別子に対応するフローに対し、指示された処理情報に基づいて処理を実行する処理実行手段と、
当該処理後、処理済みフローをネットワークへ送信する処理済みフロー送信手段とを備えた、
ことを特徴とするパケット転送システム。
【請求項１０】  端末管理装置が、
端末装置の識別子、端末装置の位置情報、及び端末装置が有する処理能力を含む属性情報を対応付けて記憶した端末管理テーブルと、
フローを受信中の端末装置が変更される場合、受信者の近傍の他の端末装置からの位置情報と受信中のフロー情報に基づいて、前記端末管理テーブルを参照して、前記他の端末装置から受信継続のための一つの端末装置を決定する端末決定手段と、
決定された端末装置のアドレス情報を経路制御装置に通知するアドレス通知手段とを備え、
経路制御装置が、前記インターセプト指示を受けた転送装置に対し、当該決定された端末装置のアドレス情報を通知し、受信側の端末装置のアドレス書換を指示することで前記転送経路情報を変更させる変更指示手段をさらに備え、
転送装置の処理済みフロー転送手段が、前記決定された受信側の端末装置のアドレス書換を行い、処理済みフローを変更後の転送経路情報に基づき当該受信側の端末装置へ向けて転送する
ことを特徴とする請求項９記載のパケット転送システム。
【手続補正２】
【補正対象書類名】明細書
【補正対象項目名】００１０
【補正方法】変更
【補正の内容】
【００１０】
【課題を解決するための手段】
上記目的を達成するために、本発明に係るパケット転送制御方法は、ネットワーク上でパケットを転送する複数の転送装置と、フローを特定し当該フローのパケットに対し、指示された処理を実行する処理サーバ装置と、処理サーバ装置に対しフローの処理を指示するフロー処理制御装置と、パケットの転送経路を制御する経路制御装置と、端末装置の位置情報を受信し端末装置の位置情報及び属性情報を管理する端末管理装置と、端末装置とから成るパケット転送システムにおけるパケット転送制御方法であって、送信側の端末装置が、送信側及び受信側の端末装置のアドレス情報、並びに、送信されるフローに対し割り当てられた当該フローを識別するためのフロー識別子を含んだ接続要求をネットワークへ送信し、ネットワーク上の転送装置が、経路制御装置による経路制御の下で当該接続要求を、受信側の端末装置に接続された転送装置へ転送した後、送信側及び受信側の端末装置間でフローの送受信が実行開始され、経路制御装置が、前記フローに対し施すべき処理機能情報を検知し、当該処理機能情報をフロー処理制御装置へ通知し、フロー処理制御装置が、受信した処理機能を持つ複数の処理サーバ装置の各々に接続している転送装置の情報を経路制御装置に通知し、経路制御装置が、接続要求に含まれた送信側及び受信側の端末装置のアドレス情報に基づいて、一つの処理サーバ装置及び当該処理サーバ装置に接続している転送装置を決定し、経路制御装置が、決定された転送装置に対し、フロー識別子、送信側及び受信側の端末装置のアドレス情報、決定された処理サーバ装置の情報を通知し、当該フロー識別子に対応するフローをインターセプトして前記処理サーバ装置へ転送するようにインターセプト指示を行うとともに、フロー処理制御装置に対し、決定された転送装置の情報を通知し、フロー処理制御装置が、インターセプト指示を受けた転送装置に対応した処理サーバ装置に対し、フロー識別子と当該フロー識別子に応じた処理情報を指示し、経路制御装置が、送信側の端末装置が接続された転送装置に対し、インターセプト指示を受けた転送装置を経由した転送経路情報を通知し、送信側の端末装置が接続された転送装置が、通知された転送経路情報に基づき、送信側の端末装置からのフローを送信し、前記インターセプト指示を受けた転送装置が、自装置に備えた、フローの識別子、送信側の端末装置アドレス、受信側の端末装置アドレス、及びフローを処理する処理サーバ装置情報を対応付けて記憶したフロー管理テーブルを参照して、インターセプト指示に基づき、前記フロー識別子に対応する前記フローをインターセプトして処理サーバ装置へ転送し、処理サーバ装置が、指示されたフロー識別子に対応する前記フローに対し、指示された処理情報に基づいて処理を行い、当該処理後、処理済みフローをネットワークへ送信し、前記インターセプト指示を受けた転送装置が、処理済みフローを、処理サーバ装置から受信して転送経路情報に基づき受信側の端末装置へ向けて転送することを特徴とする。
【手続補正３】
【補正対象書類名】明細書
【補正対象項目名】００１１
【補正方法】変更
【補正の内容】
【００１１】
このように本発明に係るパケット転送制御方法では、送信側の端末装置が、送信側及び受信側の端末装置のアドレス情報、並びに、送信されるフローに対し割り当てられた当該フローを識別するためのフロー識別子を含んだ接続要求をネットワークへ送信し、ネットワーク上の転送装置が、制御系の経路制御装置による経路制御の下で当該接続要求を、受信側の端末装置に接続された転送装置へ転送した後、送信側及び受信側の端末装置間でフローの送受信が実行開始される。また、前提として、端末管理装置は、各端末装置の位置情報を受信し、各端末装置の位置情報及び属性情報を管理している。
【手続補正４】
【補正対象書類名】明細書
【補正対象項目名】００１２
【補正方法】変更
【補正の内容】
【００１２】
ここで、経路制御装置が、フローに対し施すべき処理機能情報を検知すると、当該処理機能情報をフロー処理制御装置へ通知し、フロー処理制御装置が、受信した処理機能を持つ複数の処理サーバ装置の各々に接続している転送装置の情報を経路制御装置に通知する。
【手続補正５】
【補正対象書類名】明細書
【補正対象項目名】００１３
【補正方法】変更
【補正の内容】
【００１３】
経路制御装置が、接続要求に含まれた送信側及び受信側の端末装置のアドレス情報に基づいて、一つの処理サーバ装置及び当該処理サーバ装置に接続している転送装置を決定する。そして、経路制御装置が、決定された転送装置に対し、フロー識別子、送信側及び受信側の端末装置のアドレス情報、決定された処理サーバ装置の情報を通知し、当該フロー識別子に対応するフローをインターセプトして当該処理サーバ装置へ転送するようにインターセプト指示を行うとともに、フロー処理制御装置に対し、インターセプト指示を受けた転送装置の情報を通知する。また、フロー処理制御装置は、インターセプト指示を受けた転送装置に対応した処理サーバ装置に対し、フロー識別子と当該フロー識別子に応じた処理情報を指示する。
【手続補正６】
【補正対象書類名】明細書
【補正対象項目名】００１５
【補正方法】変更
【補正の内容】
【００１５】
そして、処理サーバ装置が、指示されたフロー識別子に対応する前記フローに対し、指示された処理情報に基づいて処理を行い、当該処理後、処理済みフローをネットワークへ送信する。上記インターセプト指示を受けた転送装置は、処理済みフローを、処理サーバ装置から受信して転送経路情報に基づき受信側の端末装置へ向けて転送する。これにより、フローに応じた処理サーバ装置により処理されたフローは、転送経路情報に基づき受信側の端末装置へ届くことになる。
【手続補正７】
【補正対象書類名】明細書
【補正対象項目名】００２４
【補正方法】変更
【補正の内容】
【００２４】
即ち、本発明に係るパケット転送システムは、ネットワーク上でパケットを転送する複数の転送装置と、フローを特定し当該フローのパケットに対し、指示された処理を実行する処理サーバ装置と、処理サーバ装置に対しフローの処理を指示するフロー処理制御装置と、パケットの転送経路を制御する経路制御装置と、端末装置の位置情報を受信し端末装置の位置情報及び属性情報を管理する端末管理装置と、端末装置とから成るパケット転送システムであって、前記端末装置が、送信側及び受信側の端末装置のアドレス情報、並びに、送信されるフローに対し割り当てられた当該フローを識別するためのフロー識別子を含んだ接続要求をネットワークへ送信する接続要求送信手段とを備え、転送装置が、端末装置からの接続要求をネットワークへ転送する接続要求転送手段と、フローの識別子と、送信側の端末装置アドレスと、受信側の端末装置アドレスと、フローを処理する処理サーバ装置情報とを対応付けて記憶したフロー管理テーブルを作成し保持するテーブル管理手段と、前記フロー管理テーブルを参照して、インターセプト指示に基づいて、フロー識別子に対応するフローをインターセプトして処理サーバ装置へ転送するインターセプト手段と、処理済みフローを、処理サーバ装置から受信して転送経路情報に基づき受信側の端末装置へ向けて転送する処理済みフロー転送手段とを備え、経路制御装置が、フローに対し施すべき処理機能情報を検知し、当該処理機能情報を前記フロー処理制御装置へ通知する処理機能通知手段と、接続要求に含まれた送信側及び受信側の端末装置のアドレス情報に基づいて、一つの処理サーバ装置及び当該処理サーバ装置に接続している転送装置を決定する転送装置決定手段と、決定された転送装置に対し、フロー識別子、送信側及び受信側の端末装置のアドレス情報、決定された処理サーバ装置の情報を通知し、当該フロー識別子に対応するフローをインターセプトして前記処理サーバ装置へ転送するようにインターセプト指示を行うとともに、フロー処理制御装置に対し、インターセプト指示を受けた転送装置の情報を通知する指示通知手段と、送信側の端末装置が接続された転送装置に対し、インターセプト指示を受けた転送装置を経由した転送経路情報を通知する転送経路通知手段とを備え、フロー処理制御装置が、受信した処理機能を持つ複数の処理サーバ装置の各々に接続している転送装置の情報を経路制御装置に通知する転送装置情報通知手段と、前記経路制御装置により決定された転送装置に対応した処理サーバ装置に対し、フロー識別子と当該フロー識別子に応じた処理情報を指示する処理指示手段とを備え、処理サーバ装置が、フロー処理制御装置から、フロー識別子と当該フロー識別子に応じた処理情報に関する指示を受信する指示受信手段と、指示されたフロー識別子に対応するフローに対し、指示された処理情報に基づいて処理を実行する処理実行手段と、当該処理後、処理済みフローをネットワークへ送信する処理済みフロー送信手段とを備えたことを特徴とする。
【手続補正８】
【補正対象書類名】明細書
【補正対象項目名】００２７
【補正方法】変更
【補正の内容】
【００２７】
本発明に係る経路制御装置は、ネットワーク上でパケットを転送する複数の転送装置と、フローを特定し当該フローのパケットに対し、指示された処理を実行する処理サーバ装置と、処理サーバ装置に対しフローの処理を指示するフロー処理制御装置と、パケットの転送経路を制御する経路制御装置と、端末装置の位置情報を受信し端末装置の位置情報及び属性情報を管理する端末管理装置と、端末装置とから成るパケット転送システムを構成する経路制御装置であって、フローに対し施すべき処理機能情報を検知し、当該処理機能情報を前記フロー処理制御装置へ通知する処理機能通知手段と、接続要求に含まれた送信側及び受信側の端末装置のアドレス情報に基づいて、一つの処理サーバ装置及び当該処理サーバ装置に接続している転送装置を決定する転送装置決定手段と、決定された転送装置に対し、フロー識別子、送信側及び受信側の端末装置のアドレス情報、決定された処理サーバ装置の情報を通知し、当該フロー識別子に対応するフローをインターセプトして前記処理サーバ装置へ転送するようにインターセプト指示を行うとともに、フロー処理制御装置に対し、インターセプト指示を受けた転送装置の情報を通知する指示通知手段と、送信側の端末装置が接続された転送装置に対し、インターセプト指示を受けた転送装置を経由した転送経路情報を通知する転送経路通知手段と、前記インターセプト指示を受けた転送装置に対し、当該決定された端末装置のアドレス情報を通知し、受信側の端末装置のアドレス書換を指示することで前記転送経路情報を変更させる変更指示手段と、を備えたことを特徴とする。
【手続補正９】
【補正対象書類名】明細書
【補正対象項目名】００２８
【補正方法】変更
【補正の内容】
【００２８】
また、本発明に係るフロー処理制御装置は、ネットワーク上でパケットを転送する複数の転送装置と、フローを特定し当該フローのパケットに対し、指示された処理を実行する処理サーバ装置と、処理サーバ装置に対しフローの処理を指示するフロー処理制御装置と、パケットの転送経路を制御する経路制御装置と、端末装置の位置情報を受信し端末装置の位置情報及び属性情報を管理する端末管理装置と、端末装置とから成るパケット転送システムを構成するフロー処理制御装置であって、受信した処理機能を持つ複数の処理サーバ装置の各々に接続している転送装置の情報を経路制御装置に通知する転送装置情報通知手段と、前記経路制御装置により決定された転送装置に対応した処理サーバ装置に対し、フロー識別子と当該フロー識別子に応じた処理情報を指示する処理指示手段と、を備えたことを特徴とする。
【手続補正１０】
【補正対象書類名】明細書
【補正対象項目名】００２９
【補正方法】変更
【補正の内容】
【００２９】
また、本発明に係る端末管理装置は、ネットワーク上でパケットを転送する複数の転送装置と、フローを特定し当該フローのパケットに対し、指示された処理を実行する処理サーバ装置と、処理サーバ装置に対しフローの処理を指示するフロー処理制御装置と、パケットの転送経路を制御する経路制御装置と、端末装置の位置情報を受信し端末装置の位置情報及び属性情報を管理する端末管理装置と、端末装置とから成るパケット転送システムを構成する端末管理装置であって、端末装置の識別子、端末装置の位置情報、及び端末装置が有する処理能力を含む属性情報を対応付けて記憶した端末管理テーブルと、フローを受信中の端末装置が変更される場合、受信者の近傍の他の端末装置からの位置情報と受信中のフロー情報に基づいて、前記端末管理テーブルを参照して、前記他の端末装置から受信継続のための一つの端末装置を決定する端末決定手段と、決定された端末装置のアドレス情報を経路制御装置に通知するアドレス通知手段と、を備えたことを特徴とする。
【手続補正１１】
【補正対象書類名】明細書
【補正対象項目名】００３０
【補正方法】変更
【補正の内容】
【００３０】
また、本発明に係る転送装置は、ネットワーク上でパケットを転送する複数の転送装置と、フローを特定し当該フローのパケットに対し、指示された処理を実行する処理サーバ装置と、処理サーバ装置に対しフローの処理を指示するフロー処理制御装置と、パケットの転送経路を制御する経路制御装置と、端末装置の位置情報を受信し端末装置の位置情報及び属性情報を管理する端末管理装置と、端末装置とから成るパケット転送システムを構成する転送装置であって、端末装置からの接続要求をネットワークへ転送する接続要求転送手段と、フローの識別子と、送信側の端末装置アドレスと、受信側の端末装置アドレスと、フローを処理する処理サーバ装置情報とを対応付けて記憶したフロー管理テーブルを作成し保持するテーブル管理手段と、前記フロー管理テーブルを参照して、経路制御装置からのインターセプト指示に基づいて、フロー識別子に対応するフローをインターセプトして処理サーバ装置へ転送するインターセプト手段と、経路制御装置からの指示に従って、パケットのヘッダーに記録されたアドレスを書き換えるとともに、処理済みフローを、処理サーバ装置から受信して転送経路情報に基づき受信側の端末装置へ向けて転送する処理済みフロー転送手段と、を備えたことを特徴とする。
【手続補正１２】
【補正対象書類名】明細書
【補正対象項目名】００３１
【補正方法】変更
【補正の内容】
【００３１】
また、本発明に係る処理サーバ装置は、ネットワーク上でパケットを転送する複数の転送装置と、フローを特定し当該フローのパケットに対し、指示された処理を実行する処理サーバ装置と、処理サーバ装置に対しフローの処理を指示するフロー処理制御装置と、パケットの転送経路を制御する経路制御装置と、端末装置の位置情報を受信し端末装置の位置情報及び属性情報を管理する端末管理装置と、端末装置とから成るパケット転送システムを構成する処理サーバ装置であって、フロー処理制御装置から、フロー識別子と当該フロー識別子に応じた処理情報に関する指示を受信する指示受信手段と、指示されたフロー識別子に対応するフローに対し、指示された処理情報に基づいて処理を実行する処理実行手段と、当該処理後、処理済みフローをネットワークへ送信する処理済みフロー送信手段と、を備えたことを特徴とする。
【手続補正１３】
【補正対象書類名】明細書
【補正対象項目名】００３２
【補正方法】変更
【補正の内容】
【００３２】
また、本発明に係る端末装置は、ネットワーク上でパケットを転送する複数の転送装置と、フローを特定し当該フローのパケットに対し、指示された処理を実行する処理サーバ装置と、処理サーバ装置に対しフローの処理を指示するフロー処理制御装置と、パケットの転送経路を制御する経路制御装置と、端末装置の位置情報を受信し端末装置の位置情報及び属性情報を管理する端末管理装置とともにパケット転送システムを構成する端末装置であって、送信側及び受信側の端末装置のアドレス情報、並びに、送信されるフローに対し割り当てられた当該フローを識別するためのフロー識別子を含んだ接続要求をネットワークへ送信する接続要求送信手段を備えたことを特徴とする。